(57)【要約】【課題】  液体が軟包装容器に入った状態で、軟包装容器さら本体部の内部に納めて噴出させることで、本体部の清掃や取り扱いの煩雑さを抑えることが可能である。【解決手段】  筐体を形成し、内部が密封可能の形成された本体部と、本体部の内部を加圧する加圧手段と、内部に液体を収納可能で、柔軟性を有し、加圧されることにより変形する容器である軟包装容器の注出口を、本体部の外部とを連通させつつ本体部に固定する容器連結部とを備え、加圧手段により本体部の内部に蓄圧することにより、軟包装容器が圧縮されて、軟包装容器内部の液体が容器連結部を介して、本体部の外部に噴出させられることを特徴とする。【選択図】図１
2015223529.tif 000002
【特許請求の範囲】
【請求項１】
筐体内部に蓄圧することにより、該筐体内の液体を外部に噴出させる蓄圧式液体噴出装置において、
該筐体を形成し、内部が密封可能の形成された本体部と、
該本体部の内部を加圧する加圧手段と、
内部に液体を収納可能で、柔軟性を有し、加圧されることにより変形する容器である軟包装容器の注出口を、該本体部の外部とを連通させつつ該本体部に固定する容器連結部とを備え、
該加圧手段により該本体部の内部に蓄圧することにより、該軟包装容器が圧縮されて、該軟包装容器内部の液体が該容器連結部を介して、該本体部の外部に噴出させられることを特徴とする蓄圧式液体噴出装置。
【請求項２】
前記容器連結部が、前記軟包装容器の注出口に設けられたネジ部に螺合する螺着部を有し、該螺着部により該軟包装容器の注出口を前記本体部に固定することを特徴とする請求項１記載の蓄圧式液体噴出装置。
【請求項３】
前記容器連結部の螺着部が、回転自在であることを特徴とする請求項２記載の蓄圧式液体噴出装置。
【請求項４】
前記本体部が、上部に開口を有するタンク本体と、該タンク本体の上部の開口を封止するタンク上蓋とからなり、
前記軟包装容器の注出口を、該タンク上蓋に設けられた前記容器連結部を介して、該タンク上蓋に固定することを特徴とする請求項１〜請求項３のいずれかに記載の蓄圧式液体噴出装置。
【請求項５】
パッチン錠を有する締付バンドを用いて、前記タンク上蓋を前記タンク本体に固定し、該タンク本体の上部の開口を塞いで該開口を封止することを特徴とする請求項４記載の蓄圧式液体噴出装置。
【発明の詳細な説明】
【技術分野】
【０００１】
本発明は、筐体内部に蓄圧することにより、筐体内の液体を外部に噴出させる蓄圧式液体噴出装置に関する。
【背景技術】
【０００２】
従来より、筐体内部に蓄圧して、筐体内の液体を外部に噴出させる物として、噴霧器等がある。例えば、特許文献１に示される蓄圧式発泡洗浄機は、噴霧液を蓄えたタンクと、タンク内の圧力を昇圧するための手動式蓄圧ポンプと、タンクの内部に設けられ噴霧液を導くための送液パイプと、タンクの外部に設けられ送液パイプに連通する送液ホースと、送液ホースの先端に設けられ噴霧液を噴霧するためのノズルと、タンクの内部に設けられタンク内の昇圧された空気を送液パイプ内に導入する導入部材とを有し、導入部材を介して空気を噴霧液に混入させることによって泡を成長させた泡状噴霧液をノズルから噴霧するものである。
【先行技術文献】
【特許文献】
【０００３】
【特許文献１】特開２０１２−５３４号公報
【発明の概要】
【発明が解決しようとする課題】
【０００４】
しかしながら、従来の噴霧器等の蓄圧式液体噴出装置では、タンクの内部に直接液体を入れることから、使用後のタンクの清掃が煩雑であり、またタンクの内部に残った液体を一定期間後の再び使用したい場合などは、タンクの内部から他の容器に移し替える必要があり、清掃もそうであるが、作業者の手が汚れたりもして、作業が大変である。
【０００５】
本発明は、このような事情に鑑みてなされたもので、液体が軟包装容器に入った状態で、軟包装容器さら本体部の内部に納めて噴出させることで、本体部の清掃や取り扱いの煩雑さを抑えることが可能な蓄圧式液体噴出装置を提供することにある。
【課題を解決するための手段】
【０００６】
請求項１記載の蓄圧式液体噴出装置は、筐体を形成し、内部が密封可能の形成された本体部と、本体部の内部を加圧する加圧手段と、内部に液体を収納可能で、柔軟性を有し、加圧されることにより変形する容器である軟包装容器の注出口を、本体部の外部とを連通させつつ本体部に固定する容器連結部とを備え、加圧手段により本体部の内部に蓄圧することにより、軟包装容器が圧縮されて、軟包装容器内部の液体が容器連結部を介して、本体部の外部に噴出させられることを特徴とする。
【０００７】
請求項２記載の蓄圧式液体噴出装置は、容器連結部が、軟包装容器の注出口に設けられたネジ部に螺合する螺着部を有し、螺着部により軟包装容器の注出口を本体部に固定することを特徴とする。
【０００８】
請求項３記載の蓄圧式液体噴出装置は、容器連結部の螺着部が、回転自在であることを特徴とする。
【０００９】
請求項４記載の蓄圧式液体噴出装置は、本体部が、上部に開口を有するタンク本体と、タンク本体の上部の開口を封止するタンク上蓋とからなり、軟包装容器の注出口を、タンク上蓋に設けられた容器連結部を介して、タンク上蓋に固定することを特徴とする。
【００１０】
請求項５記載の蓄圧式液体噴出装置は、パッチン錠を有する締付バンドを用いて、タンク上蓋をタンク本体に固定し、タンク本体の上部の開口を塞いで開口を封止することを特徴とする。
【発明の効果】
【００１１】
本願の発明によれば、加圧されることにより変形する容器である軟包装容器の注出口を、本体部の外部とを連通させつつ本体部に固定する容器連結部とを備え、加圧手段により本体部の内部に蓄圧することにより、軟包装容器が圧縮されて、軟包装容器内部の液体が容器連結部を介して、本体部の外部に噴出させられることから、液体が軟包装容器に入った状態で、軟包装容器さら本体部の内部に納めて噴出させることで、本体部の清掃や取り扱いの煩雑さを抑えることが可能である。
【図面の簡単な説明】
【００１２】
【図１】本発明に係る蓄圧式液体噴出装置の構造の一例を示す説明図である。
【図２】同蓄圧式液体噴出装置の外観要部を示す説明図である。
【図３】同蓄圧式液体噴出装置の外観平面を示す説明図である。
【図４】同蓄圧式液体噴出装置の使用状態の一例を示す説明図である。
【発明を実施するための形態】
【００１３】
以下、本発明の形態について図面を参照しながら具体的に説明する。図１は、本発明に係る蓄圧式液体噴出装置の構造の一例を示す説明図である。図２は、同蓄圧式液体噴出装置の外観要部を示す説明図である。図３は、同蓄圧式液体噴出装置の外観平面を示す説明図である。図４は、同蓄圧式液体噴出装置の使用状態の一例を示す説明図である。
【００１４】
図における蓄圧式液体噴出装置１は、筐体である本体部１０の内部に蓄圧することにより、本体部１０内の液体Ｗを外部に噴出させるもので、特に、内部に液体Ｗを収納可能で、柔軟性を有し、加圧されることにより変形する容器（パウチ容器本体８ａ）である軟包装容器（パウチ容器８）を収納させて、そのパウチ容器８の中の液体Ｗを、噴出させるものである。
【００１５】
蓄圧式液体噴出装置１は、筐体である本体部１０、筐体である本体部１０の内部を加圧する加圧手段である加圧ポンプ３０、軟包装容器であるパウチ容器８の注出口８ｂを本体部１０の外部とを連通させつつ本体部１０に固定する容器連結部２２等から構成されている。本体部１０は、上部に開口１２ａを有する円筒状のタンク本体１２と、タンク本体１２の上部の開口１２ａを封止するタンク上蓋２０とからなる。タンク本体１２の開口１２ａの外周には、断面１／４円状のフランジ１２ｂを有している。
【００１６】
また、タンク上蓋２０は、略円盤状で、周囲に断面１／４円状のフランジ２０ａを有している。タンク上蓋２０の周部分の裏側には、円環状のパッキン４２が装着されている。そして、タンク上蓋２０でタンク本体１２の開口１２ａを塞いだ状態で、フランジ１２ｂとフランジ２０ａが重なり合って、外側に半円形に突出する一体のフランジのようになる。
【００１７】
タンク上蓋２０の中央には、円筒形で下方に突出し、内周に雌ネジを有する容器連結部固定部２６が設けられている。そして、円筒状で上側の外周にネジ山を有する容器連結部２２が、上側のネジ山を容器連結部固定部２６に螺合して固定されている。容器連結部２２の下側には、下側の外周を隙間を持って覆うように、キャップ状の螺着部２４が回転自在に設けられている。螺着部２４の内周には、雌ネジが設けられている。
【００１８】
タンク上蓋２０の容器連結部固定部２６の反対面側には、円筒形で上方に突出し、外周にネジ山を有するホース取付基台１６が設けられている。そして、ホース取付基台１６と容器連結部固定部２６の軸中心のタンク上蓋２０部分が貫通し、ホース取付基台１６の内周と容器連結部固定部２６の内周とは、連通している。このホース取付基台１６の内周と容器連結部固定部２６の内周との連通部分を貫いて、チューブ４ａが設けられている。ホース取付基台１６の上端から、チューブ４ａの上端が突出し、そのチューブ４ａが突出した部分に、ホース４が外装され、ホース４の端部をホース取付基台１６との間で挟み込むように、ホース取付基台１６の外側にホースキャップ２８が螺装される。
【００１９】
加圧ポンプ３０は、加圧手段の一例として、手動式のポンプである。加圧ポンプ３０は、円筒状のポンプシリンダケース３２内を、ハンドル３４ａを有するピストン棒３４が移動可能になっている。ピストン棒３４のハンドル３４ａとは単体側の端部の外周には、パッキン３４ｂが設けられ、パッキン３４ｂがポンプシリンダケース３２に密接しながら、ピストン棒３４が、ポンプシリンダケース３２内を摺動する。ポンプシリンダケース３２のパッキン３４ａｂの端部は、排気穴３２ａを有した形で封止されると共に、排気穴３２ａには、外方向にのみ排気穴３２ａを開口する逆止弁３６が設けられている。
【００２０】
タンク上蓋２０の上面の側方には、加圧ポンプ３０のポンプシリンダケース３２の外周と内周が一致する円筒状のポンプ取付基台１４が突出している。そして、ポンプ取付基台１４の内側のタンク上蓋２０は、開口が穿設されており、加圧ポンプ３０のポンプシリンダケース３２がすっぽり嵌まり込む構造になっている。加圧ポンプ３０のポンプシリンダケース３２をタンク上蓋２０のポンプ取付基台１４に挿嵌した状態で、ポンプシリンダケース３２の外周のネジ山とポンプ取付基台１４の内周の雌ネジとを螺合させることで、加圧ポンプ３０がタンク上蓋２０に固定される。尚、ポンプシリンダケース３２とポンプ取付基台１４との接合部分には、パッキン４４が設けられ、気密性が保たれている。尚、加圧手段は、手動式である必要はなく、また、加圧手段の設け方等の構成によって制限されるものではない。
【００２１】
タンク上蓋２０の上面の加圧ポンプ３０とは逆の側方には、円筒状のエアー抜き取付基台１８が突出している。エアー抜き取付基台１８の内周のタンク上蓋２０部分は、開口が穿設され、その開口を塞ぐように棒状のエアー抜きノブ５４が設けられている。そして、エアー抜き取付基台１８の内側に棒状のエアー抜きノブ５４の下方が挿入された状態で、そのエアー抜きノブ５４の下方の外側にスプリング５８が設けられ、エアー抜き取付基台１８の外側に螺装されたエアー抜きキャップ５６で固定されている。エアー抜きノブ５４は、スプリング５８によって、エアー抜き取付基台１８の内周のタンク上蓋２０の開口を塞ぐように付勢されており、エアー抜きノブ５４をタンク上蓋２０の上方向に引っ張ると、タンク内部Ｈが外部と連通して、タンク内部Ｈの圧縮空気が外部に抜ける仕組みである。
【００２２】
タンク上蓋２０をタンク本体１２に固定するには、パッチン錠４６を有する締付バンド４０を用いる。具体的には、締付バンド４０は、半円環状のバンド部４０ａ，４０ｂからなり、２つのバンド部４０ａ，４０ｂは、それぞれの一端が回転部４０ｃでピン４０ｄにより連結された状態で軸支され、円環状になったり他端が離間可能な状態になったりする。バンド部４０ａ，４０ｂのそれぞれの他端側には、パッチン錠４６が設けられている。
【００２３】
パッチン錠４６は、バンド部４０ｂ側に設けられた基部４６ａと、バンド部４０ａ側に設けられたフック４６ｃと、基部４６ａに設けられフック４６ｃを掛かり止める環状の掛止部４６ｂからなる。バンド部４０ａ，４０ｂの内周は、半円状にえぐられた形状の凹部４０ａａ，４０ｂａをなし、タンク本体１２のフランジ１２ｂとタンク上蓋２０のフランジ２０ａが合わさった部分と嵌合する形状になっている。また、バンド部４０ｂには、リング５２が固定され、このリング５２に蓄圧式液体噴出装置１を肩掛けしたり持ち上げたりするためのベルト５０が設けられている。
【００２４】
尚、実施の形態の蓄圧式液体噴出装置１では、ホース４の先に、手で握持可能な噴霧部６を設け、噴霧部６には、液体Ｗを噴霧するための噴霧ノズル６ａを有している。噴霧部６は、水や農薬を植物に噴霧する場合等に蓄圧式液体噴出装置１を使用する一例であり、他には、塗装用ローラ刷毛をホース４の先に設け、蓄圧式液体噴出装置１を用いて塗装を行うようにしてもよい。このように、蓄圧式液体噴出装置１の用途としては、液体Ｗを外部に噴出させる用途であれば、用途によって限定されるものではない。
【００２５】
次に、本実施の形態における蓄圧式液体噴出装置１の使用方法を説明する。まず、タンク本体１２とタンク上蓋２０とを分離した状態にする。そして、噴出させる液体Ｗが内部に入ったパウチ容器８の注出口８ｂを開けて、チューブ４ａをパウチ容器本体８ａに射し込みつつ、容器連結部２２と螺着部２４との間の隙間に、パウチ容器８の注出口８ｂの外側に設けられたネジ部８ｃをあてがいつつ、螺着部２４を回転させる。すると、パウチ容器８のネジ部８ｃが螺着部２４に螺挿されつつ上昇し、パウチ容器８の注出口８ｂが、容器連結部２２に固定されることになる。これにより、パウチ容器８（注出口８ｂ）が、タンク上蓋２０に固定されたことになる。
【００２６】
次に、パウチ容器８が固定された状態で、パウチ容器８がタンク内部Ｈに入るように、タンク本体１２の開口１２ａをタンク上蓋２０で塞ぐようにする。そして、タンク本体１２のフランジ１２ｂとタンク上蓋２０のフランジ２０ａとが合致した状態で、フランジ１２ｂとフランジ２０ａとを覆い被すように、締付バンド４０のバンド部４０ａ，４０ｂを架け渡す。その上で、パッチン錠４６で、バンド部４０ａ，４０ｂの他端を強固に連結させる。これにより、タンク本体１２の開口１２ａが、タンク上蓋２０によって封止され、タンク内部Ｈが密封状態になる。また、同時に、タンク内部Ｈに配置されたパウチ容器８の注出口８ｂが、本体部１０の外部と連通した状態になっている。
【００２７】
この状態で、加圧ポンプ３０のピストン棒３４をハンドル３４ａを介して上下させると、タンク内部Ｈに空気が送り込まれ、タンク内部Ｈが加圧され蓄圧される。タンク内部Ｈが加圧され蓄圧されると、柔軟性を有し加圧されることにより変形する容器であるパウチ容器８の注出口８ｂから、チューブ４ａ（容器連結部２２）を介して、液体Ｗが本体部１０の外部に噴出させられる。本体部１０の外部に出た液体Ｗは、ホース４を介して噴霧部６に送られ、噴霧ノズル６ａから噴霧される。
【００２８】
蓄圧式液体噴出装置１の使用が終わった場合には、まず、エアー抜きノブ５４を操作して、タンク内部Ｈの圧を外部に逃がすようにする。その上で、パッチン錠４６を解除して締付バンド４０を、本体部１０から外す。そして、タンク上蓋２０を、タンク本体１２から外した上で、螺着部２４をまわしてパウチ容器８の注出口８ｂを、容器連結部２２から外す。これにより、パウチ容器８が、タンク上蓋２０から取り外されることになる。
【００２９】
以上のような構成の蓄圧式液体噴出装置１によれば、加圧されることにより変形する容器であるパウチ容器８（軟包装容器）の注出口８ｂを、本体部１０の外部とを連通させつつ本体部１０に固定する容器連結部２２とを備え、加圧ポンプ３０（加圧手段）により本体部１０の内部に蓄圧することにより、パウチ容器８（軟包装容器）が圧縮されて、パウチ容器８（軟包装容器）内部の液体Ｗが容器連結部２２を介して、本体部１０の外部に噴出させられることから、液体Ｗがパウチ容器８（軟包装容器）に入った状態で、パウチ容器８（軟包装容器）さら本体部１０の内部に納めて噴出させることで、本体部１０の清掃や取り扱いの煩雑さを抑えることが可能である。
【００３０】
また、容器連結部２２が、パウチ容器８（軟包装容器）の注出口８ｂに設けられたネジ部８ｃに螺合する螺着部２４を有し、螺着部２４によりパウチ容器８（軟包装容器）の注出口８ｂを本体部１０に固定することで、簡易な方法で、パウチ容器８（軟包装容器）を本体部１０に固定することができる。さらに、容器連結部２２の螺着部２４が、回転自在な構造にすることで、パウチ容器８（軟包装容器）の注出口８ｂに設けられたネジ部８ｃに、螺着部２４を螺合するのが、容易に行えるようになる。
【００３１】
さらに、本体部１０が、上部に開口１２ａを有するタンク本体１２と、タンク本体１２の上部の開口１２ａを封止するタンク上蓋２０とからなり、パウチ容器８（軟包装容器）の注出口８ｂを、タンク上蓋２０に設けられた容器連結部２２を介して、タンク上蓋２０に固定するような構造にすることで、タンク上蓋２０にパウチ容器８（軟包装容器）を固定してぶら下げた状態で、タンク上蓋２０で蓋をしつつタンク本体１２のタンク内部Ｈのパウチ容器８（軟包装容器）を入れることが可能で、取り扱いが容易になる。
【００３２】
さらに、パッチン錠４６を有する締付バンド４０を用いて、タンク上蓋２０をタンク本体１２に固定し、タンク本体１２の上部の開口１２ａを塞いで開口１２ａを封止するようにすることで、容易に、タンク本体１２の上部の開口１２ａを塞ぐことが可能で、また、タンク内部Ｈの気密性を確保することも容易である。
【産業上の利用可能性】
【００３３】
以上のように、本発明によれば、液体が軟包装容器に入った状態で、軟包装容器さら本体部の内部に納めて噴出させることで、本体部の清掃や取り扱いの煩雑さを抑えることが可能な蓄圧式液体噴出装置を提供することができる。
【符号の説明】
【００３４】
１・・・・・・蓄圧式液体噴出装置
４・・・・・・ホース
４ａ・・・・・チューブ
６・・・・・・噴霧部
６ａ・・・・・噴霧ノズル
８・・・・・・パウチ容器
８ａ・・・・・パウチ容器本体
８ｂ・・・・・注出口
８ｃ・・・・・ネジ部
１０・・・・・本体部
１２・・・・・タンク本体
１２ａ・・・・開口
１２ｂ・・・・フランジ
１４・・・・・ポンプ取付基台
１６・・・・・ホース取付基台
１８・・・・・エアー抜き取付基台
２０・・・・・タンク上蓋
２０ａ・・・・フランジ
２２・・・・・容器連結部
２４・・・・・螺着部
２６・・・・・容器連結部固定部
２８・・・・・ホースキャップ
３０・・・・・加圧ポンプ
３２・・・・・ポンプシリンダケース
３２ａ・・・・排気穴
３４・・・・・ピストン棒
３４ａ・・・・ハンドル
３４ｂ・・・・パッキン
３６・・・・・逆止弁
４０・・・・・締付バンド
４０ａ・・・・バンド部
４０ａａ・・・凹部
４０ｂ・・・・バンド部
４０ｂａ・・・凹部
４０ｃ・・・・回転部
４０ｄ・・・・ピン
４２・・・・・パッキン
４４・・・・・パッキン
４６・・・・・パッチン錠
４６ａ・・・・基部
４６ｂ・・・・掛止部
４６ｃ・・・・フック
５０・・・・・ベルト
５２・・・・・リング
５４・・・・・エアー抜きノブ
５６・・・・・エアー抜きキャップ
５８・・・・・スプリング
【図１】
2015223529.tif 000003
【図２】
2015223529.tif 000004
【図３】
2015223529.tif 000005
【図４】
2015223529.tif 000006